(57)【特許請求の範囲】
【請求項１】
建物の開口に設けられた建具の枠に取り付けられ、前記開口の縁と前記枠との隙間を覆う建具用額縁であって、
断面視で略コの字状に形成され、
前記枠の見付け面の少なくとも一部を覆う化粧面部と、
見込み方向に延びる長さ調整部と、を備え、
前記長さ調整部は、前記建具用額縁の長手方向に延びて互いに間隔を空けて形成された複数の溝を有し、且つ、前記化粧面部のうち、前記開口の縁側に位置する外側の側面に着脱可能であり、
前記化粧面部及び前記長さ調整部には、互いを連結可能な嵌合部が形成されており、
前記嵌合部は、
前記長さ調整部に形成され、隣接して見付方向に突出する二つの突起を有する突起部と、
前記化粧面部における前記突起部に対向する位置に形成され、前記突起を受ける受け部と、を有し、
前記二つの突起のうち少なくとも一方の前記突起が、前記見込み方向に弾性変形して前記受け部の一部と係合可能な建具用額縁。
【請求項２】
前記長さ調整部は、平板状である請求項１に記載の建具用額縁。
【請求項３】
建物の開口に設けられた既設枠と、該既設枠の内周面を覆うように設けられた新設枠と、を備える改装建具であって、
前記新設枠に、前記開口の縁と前記新設枠との隙間を覆う建具用額縁が取り付けられ、
該建具用額縁は、
断面視で略コの字状に形成され、
前記新設枠の見付け面の少なくとも一部を覆う化粧面部と、
見込み方向に延びる長さ調整部と、を備え、
前記長さ調整部は、前記建具用額縁の長手方向に延びて互いに間隔を空けて形成された複数の溝を有し、且つ、前記化粧面部のうち、前記開口の縁側に位置する外側の側面に着脱可能である、改装建具。
【発明の詳細な説明】
【技術分野】
【０００１】
本発明は、建具用額縁、改装建具及び建具用額縁の施工方法に関する。具体的には、建具の枠に取り付けられる建具用の額縁、この額縁が設けられた改装建具、及び建具用額縁の施工方法に関する。
【背景技術】
【０００２】
従来、建物の開口にドア等の建具を取り付ける際には、建具の枠が建物の開口の開口縁に取り付けられ、枠の内側に扉が配置される。また、枠の周囲には、建具用額縁が取り付けられることが知られている。建具用額縁は、枠から建物の開口縁に亘って開口縁と枠との隙間を覆うように配置される。このため、建具用額縁は、見込方向に延びる一対の面と、これら一対の面をつなぐ見付方向に延びる面とを有し、断面コの字状のような形状をしている。
【０００３】
ところで、建物の開口縁や枠の寸法、形状や、開口縁と枠との距離等は様々である。また、例えばリフォームを行う場合に、既設の枠を外さないで新設の枠を取り付ける場合があり、建具用額縁を設置可能な開口や枠の寸法が予め定まっている場合がある。
【０００４】
そこで、特許文献１では、建具を設置する建物の開口廻りの寸法に合わせて建具用額縁の一部を切断し、建具用額縁の見込み方向の長さを調整可能な建具用額縁が提案されている。
【０００５】
特許文献１の建具用額縁は、枠に取り付ける枠側の面と、開口縁側に配置され、枠側の面に対向する側に延びる開口縁側の面と、これら枠側及び開口縁側の面をつなぐ正面とからなる概ねＵ字又はコの字のような形状をしている。特許文献１の建具用額縁の開口縁側の面には、建具用額縁の見込み方向の長さを調整するため、切断可能な溝が形成されている。
【先行技術文献】
【特許文献】
【０００６】
【特許文献１】特開２００４−２０４４９６号公報
【発明の概要】
【発明が解決しようとする課題】
【０００７】
しかしながら、互いに対向する枠側及び開口縁側の面と、これらの面をつなぐ正面とにより構成される断面略コの字状の建具用額縁に、特許文献１のような切断可能な箇所を設けた場合、開口縁側の面を切断する際に、対向する枠側の面が障害となって、切断作業を行うことが困難であった。
【０００８】
本発明は、建具用額縁の見込み方向の長さを調整する場合に、切断作業が容易にできる建具用額縁を提供することを目的とする。
【課題を解決するための手段】
【０００９】
上記目的を達成するため本発明は、建物（例えば、後述の建物１００）の開口（例えば、後述の開口１０１）に設けられた建具（例えば、後述の建具１０）の枠（例えば、後述のドア枠２）に取り付けられ、前記開口の縁（例えば、後述の開口縁１０２）と前記枠との隙間（例えば、後述の隙間Ｓ）を覆う建具用額縁（例えば、後述の建具用額縁１）であって、断面視で略コの字状に形成され、前記枠の見付け面の少なくとも一部を覆う化粧面部（例えば、後述の化粧面部６）と、見込み方向に延びる長さ調整部（例えば、後述の長さ調整部５）と、を備え、前記長さ調整部は、前記建具用額縁の長手方向に延びて互いに間隔を空けて形成された複数の溝（例えば、後述の溝５１）を有し、且つ、前記化粧面部に着脱可能である建具用額縁を提供する。
【００１０】
前記長さ調整部は、平板状であることが好ましい。
【００１１】
前記化粧面部及び前記長さ調整部には、互いを連結可能な嵌合部（例えば、後述の嵌合部８）が形成されていることが好ましい。
【００１２】
前記嵌合部は、前記長さ調整部に形成され、隣接して見付方向に突出する二つの突起（例えば、後述の第１突起及び第２突起）を有する突起部（例えば、後述の突起部８１）と、前記化粧面部における前記突起部に対向する位置に形成され、前記突起を受ける受け部（例えば、後述の受け部８２）と、を有し、前記二つの突起のうち少なくとも一方の前記突起が、前記見込み方向に弾性変形して前記受け部の一部と係合可能であることが好ましい。
【００１３】
建物の開口に設けられた既設枠（例えば後述の既設ドア枠３）と、該既設枠の内周面を覆うように設けられた新設枠（例えば後述のドア枠２）と、を備える改装建具（例えば後述の改装建具１０）であって、前記新設枠に、前記建具用額縁が取り付けられる改装建具であることが好ましい。
【００１４】
前記建具用額縁の施工方法であって、前記長さ調整部を前記化粧面部から取り外した状態で、前記複数の溝のうち一の溝に沿って前記長さ調整部を切断することで、前記長さ調整部の見込み方向の長さを調整する長さ調整工程と、前記長さ調整工程で切断された長さ調整部を、前記化粧面部に取り付けて連結させる連結工程と、前記連結工程で前記長さ調整部が前記化粧面部に連結された建具用額縁を、前記枠に取り付ける取り付け工程と、を有する建具用額縁の施工方法であることが好ましい。
【発明の効果】
【００１５】
本発明によれば、建具用額縁の見込み方向の長さを調整する場合に、切断作業が容易にできる建具用額縁を提供することができる。
【図面の簡単な説明】
【００１６】
【図１】第１実施形態に係る建具を屋外側から視た図である。
【図２】第１実施形態に係る建具が建物の開口に納められた状態の縦断面図である。
【図３】第１実施形態係る建具が建物の開口に納められた状態の横断面図である。
【図４】第１実施形態の建具用額縁の斜視図を示す図である。
【図５】第２実施形態の建具用額縁の断面図を示す図である。
【図６】第３実施形態の建具用額縁の断面図を示す図である。
【発明を実施するための形態】
【００１７】
以下、本発明の実施形態について、図面を参照しながら詳しく説明する。なお、本明細書において、「見付方向」とは、建物に形成された開口部に納められた建具におけるドア本体の幅方向（すなわち、左右方向）を意味し、「見込み方向」とは、上記ドア本体の奥行き方向を意味する。
【００１８】
〔第１実施形態〕
図１は、本実施形態に係る建具１０を屋外側から視た図である。本実施形態における建具１０は、建物１００に既に取り付けられていた建具１０を構成する既設の部材のうち、脱着が可能な部分を交換するとともに、建物１００に固定されている既設の部材を建物１００に取り付けたままで、新たな部材を新設して形成するリフォーム用の改装建具１０である。
図１に示すように、建具１０は、玄関ドア等のドアであり、建物１００に形成された開口１０１に納められる。建具１０は、枠としてのドア枠２と、ドア本体４と、建具用額縁１と、を備える。
【００１９】
ドア本体４は、長方形の板材により構成され、開口１０１を塞ぐように取り付けられる。ドア本体４は、丁番４１を介して屋外側（図中手前側）で開閉可能に吊り込まれる。そして、ドア本体４の戸先側には、シリンダー錠４２及びハンドル４３が取り付けられている。
【００２０】
ドア枠２及び建具用額縁１は、建物１００の開口１０１における開口縁１０２に沿って、ドア本体４の周囲に配置されている。ドア枠２及び建具用額縁１については、後に詳述する。
【００２１】
図２は、本実施形態に係る建具１０が建物１００の開口１０１に納められた状態の縦断面図で、図３は、本実施形態に係る建具１０が建物１００の開口１０１に納められた状態の横断面図である。なお、以下において左右とは、屋外側から視た場合の左右を意味する。つまり、図３において、見付方向で、吊元側が右側、戸先側が左側である。
【００２２】
図２及び３に示すように、開口１０１は、梁部材１１１と、左右の柱部材１１２と、屋内側の床材１１３と、により四周を区画されている。
梁部材１１１及び左右の柱部材１１２の内面側には、室内側額縁材１１４が配置されている。室内側額縁材１１４は、梁部材１１１に対してはスペーサ１１５を介して固定され、右方の柱部材１１２に対しては直接固定される。
【００２３】
梁部材１１１と左右の柱部材１１２の少なくとも屋内側には、断熱材１１９が配置される。断熱材１１９と梁部材１１１及び左右の柱部材１１２との間には、それぞれスペーサ１１５が配置される。
梁部材１１１及び左右の柱部材１１２の屋外側には、外装パネル１１８が配置されている。この外装パネル１１８の端縁により、開口１０１の縁としての開口縁１０２が区画されている。
【００２４】
床材１１３は、化粧材１１６及びモルタル１１７により構成されている。化粧材１１６は、建具１０の屋内側及び屋内側ともに、モルタル１１７の上面側に水平に配置されている。屋内側の床材１１３と屋外側の床材１１３との間には、段差１３０が形成されている。
【００２５】
図２に示すように、段差１３０は、既設の化粧材１１６が建具１０の正面を向くようにモルタル１１７の上に配置されて構成されている。また、段差１３０では、化粧材１１６の上に、かいもの１３１を介して巾木１３２が配置され、巾木１３２が建具１０の正面を向いている。
【００２６】
図２及び図３に示すように、新設枠としてのドア枠２が、既設枠としての既設ドア枠３の幅方向の内側且つ屋外側に取り付けられる。図２及び図３において、既設ドア枠３は、破線で示されている。
【００２７】
既設ドア枠３は、開口１０１の内側に配置され、長方形の枠状に形成される。既設ドア枠３は、既設上枠３１と、既設下枠３２と、左右の既設縦枠３３、３４と、により構成される。
【００２８】
図２に示すように、既設上枠３１は、断面方形（ホロー構造）に形成され、梁部材１１１の下方にスペーサ１１５を介して固定されている。
既設下枠３２は、平板状の部材が屈曲して形成されている。既設下枠３２は、既設上枠３１に対向する位置で、モルタル１１７の上面に直接固定され、一部がモルタル１１７に埋め込まれている。
【００２９】
図３に示すように、左右の既設縦枠３３、３４は、断面方形の部分３３１、３４１と、屈曲部３３２、３４２と、を有する。
断面方形の部分３３１、３４１は、横断面視で方形に構成され、室内側額縁材１１４の屋外側に当接している。
屈曲部３３２、３４２は、断面方形の部分３３１、３４１から延びて横断面視でＬ字状に屈曲する。屈曲部３３２、３４２は、内側面部３３２ａ、３４２ａと、正面部３３２ｂ、３４２ｂと、を有する。内側面部３３２ａ、３４２ａは、柱部材１１２の開口１０１における内側面側に沿って配置され、固定される。正面部３３２ｂ、３４２ｂは、内側面部３３２ａ、３４２ａから屈曲して柱部材１１２における建具１０の正面側の面に当接する。
なお、既設縦枠３３、３４の正面部３３２ｂ、３４２ｂは、後述する既設の建具用額縁３０に接している。
【００３０】
ドア枠２は、開口１０１の内側に配置され、長方形の枠状に形成される。ドア枠２は、既設ドア枠３の内周面を覆って既設ドア枠３に部分的に重なる。ドア枠２は、既設ドア枠３の屋外側に突出するように配置される。ドア枠２は、上枠２１と、下枠２２と、左右の縦枠２３、２４と、内額縁２５と、を有する。
【００３１】
図２に示すように、上枠２１は、断面方形（ホロー構造）に形成され、その下面がドア本体４の上面に対向している。上枠２１は、既設上枠３１にスペーサを介してねじで固定されている。上枠２１は、下方に延びる上枠パッキン取り付け部２１ａを有し、ドア本体４を傷つけないように受け止めるシールパッキン９１が上枠パッキン取り付け部２１ａに取り付けられている。
【００３２】
下枠２２は、上枠２１に対向して配置され、平板状の部分２２１と、立ち上がり部２２２と、支持部２２３と、を有する。
平板状の部分２２１は、平坦な面を有し、水平方向に延びてドア本体４の下面に対向する。
立ち上がり部２２２は、平板状の部分２２１から上方に向かって起立する部分である。立ち上がり部２２２は、屋外側の面に下枠パッキン取り付け部２２ａを有し、上枠２１の場合と同様に、シールパッキン９１が下枠パッキン取り付け部２２ａに取り付けられている。
支持部２２３は、平板状の部分２２１及び立ち上がり部２２２と別体に形成されている。支持部２２３は、断面略Ｌ字状の形状を有する。支持部２２３は、平板状の部分２２１の下方に配置されている。支持部２２３は、Ｌ字の短辺が平板状の部分２２１の裏側に対向してボルトで固定され、Ｌ字の長辺が段差１３０における化粧材１１６にボルトで固定されている。
【００３３】
図３に示すように、左右の縦枠２３、２４は、左右の既設縦枠３３、３４の内側面部３３２ａ、３４２ａに、スペーサ１１５を介して固定されている。左右の縦枠２３、２４は、それぞれドア本体４の内側に向かって延びる縦枠パッキン取り付け部２３ａ、２４ａを有し、上枠２１及び下枠２２の場合と同様に、シールパッキン９１が縦枠パッキン取り付け部２３ａ、２４ａに取り付けられている。
【００３４】
内額縁２５は、図２及び３に示すように、ドア枠２の内側の面から室内側に向かって延びるように設けられている。内額縁２５は、既設ドア枠３の室内側の一部と、室内側額縁材１１４の一部とを覆うように配置される。
内額縁２５は、内額縁内側面２５１と、室内側側面部２５２と、を有する。内額縁内側面２５１は、屋外側から室内側に向かって水平方向に延びる平板状の面である。室内側側面部２５２は、内額縁内側面２５１から垂直方向に屈曲する平板状の面である。内額縁２５は、ボルトにより室内側額縁材１１４に固定されている。
【００３５】
図２及び図３に示すように、本実施形態の開口縁１０２には、既設の建具用額縁３０が設けられている。既設の建具用額縁３０は、建具１０の正面から見て正面側で、既設ドア枠３の幅方向外側に、既設ドア枠３に沿って配置されている。新設のドア枠２が既設ドア枠３よりも建物１００の正面側に突出するように配置されているので、開口縁１０２と、ドア枠２との間には、隙間Ｓが形成されている。
【００３６】
図４は、建具用額縁１の斜視図である。
図４に示すように、建具用額縁１は、断面視で略コの字状の形状を有し、建具１０の開口１０１の開口縁１０２に沿ってドア枠２に取り付けられる直線的な縦長の部材である。上述の通り、開口縁１０２には、既設の建具用額縁３０が取り付けられている。本実施形態における新設の建具用額縁１は、既設の建具用額縁３０及び既設ドア枠３を覆うとともに、開口縁１０２とドア枠２との間の隙間Ｓを覆うように配置されている。
【００３７】
建具用額縁１は、化粧面部６と、長さ調整部５と、嵌合部８と、を有する。建具用額縁１は、アルミ材により形成されている。
【００３８】
化粧面部６は、ドア枠２の見付け面の少なくとも一部を覆うように配置される。化粧面部６は、断面視で略コの字状の形状を有し、化粧面本体部６０と、第１面６１と、第２面６２と、を有する。
【００３９】
化粧面本体部６０は、ドア枠２側から開口縁１０２側に向かう緩やかな傾斜を有し、見付け方向に延びる面である。化粧面本体部６０の内側面には、Ｖ字型の溝６４が形成されている。
【００４０】
第１面６１は、建具用額縁１を開口縁１０２とドア枠２とに亘って配置した際に、ドア枠２側に固定される内側の側面である。第１面６１は、化粧面本体部６０の幅方向の端部から、化粧面本体部６０の面に交差する方向へ延びる。第１面６１における化粧面本体部６０と接続されていない側の端部には、断面視略コの字状の突出部６３が形成されている。第１面６１は、突出部６３をドア枠２にボルトで締結することにより、ドア枠２に固定される。
【００４１】
第２面６２は、建具用額縁１を開口縁１０２とドア枠２とに亘って配置した際に、開口縁１０２側に固定される外側の側面である。第２面６２は、化粧面本体部６０を挟んで第１面６１に対向する位置に配置され、化粧面本体部６０の面に交差する方向へ延びる。第２面６２は、化粧面本体部６０側の基端から、基端に対向する遠位端までの長さが、第１面６１の基端から遠位端までの長さよりも短く形成されている。
第１面６１、化粧面本体部６０及び第２面６２は、一枚の板が屈曲して一体に形成されている。
【００４２】
長さ調整部５は、第２面６２に連結され、第２面６２の遠位端から建具１０の見込み方向を覆うように延びる縦長の平板状の部材である。長さ調整部５は、長手方向が開口縁１０２の各辺に沿うように配置される。
長さ調整部５は、建具用額縁１の内側となる面に形成される複数の溝５１を有する。長さ調整部５は、溝５１の形成されていない外側の面は、平坦に形成されている。
【００４３】
溝５１は、建具用額縁１の長手方向に沿って延び、長さ調整部の内側の面から断面視でＶ字状に切り欠かれて形成されている。溝５１は、長さ調整部５の長手方向に沿うとともに、短手方向に間隔を空けて複数形成されている。溝５１は、化粧面本体部６０に形成されている溝６４よりも多い本数が短い間隔で並んで形成されている。溝５１は、長さ調整部５の強度を確保する観点から、長さ調整部５の内側面に細幅で浅く形成されている。溝５１は、建具用額縁１を取り付ける開口１０１廻りの寸法に合わせて、プラスチックカッター等により長さ調整部５を切断可能な深さに形成される。
【００４４】
嵌合部８は、化粧面部６の第２面６２と、長さ調整部５にそれぞれ形成され、互いを連結可能に構成されている。嵌合部８は、突起部８１と、受け部８２と、を有する。
【００４５】
突起部８１は、長さ調整部５の一方の端部側に配置される。突起部８１は、見付け方向、すなわち長さ調整部５の面が延びる方向に交差する方向に突出する第１突起８１１及び第２突起８１２により構成される。
第１突起８１１は、長さ調整部５の一方の端部に配置される。第１突起８１１は、長さ調整部５の延びる方向に沿って外側へ延びる分岐部８１３を有する。
第２突起８１２は、第１突起８１１に間隔を空けて隣接する。第２突起８１２は、断面視でくの字状に、第１突起８１１へ向かって屈曲する屈曲部８１４を有する。第２突起８１２は、弾性変形が可能である。
【００４６】
受け部８２は、化粧面部６の第２面６２に、突起部８１に対向する位置に形成される。受け部８２は、第２面６２から建具用額縁１の内側に凹むように形成され、突起部８１を受ける部分である。受け部８２は、第１突起受け部８２１と、第２突起係合部８２２と、を有する。
第１突起受け部８２１は、第１突起８１１を覆うように第１突起８１１と位置合わせして形成される。第１突起受け部８２１は、第１突起８１１の分岐部８１３を内部に収容する。
第２突起係合部８２２は、第２突起８１２の外側を覆うとともに、第２突起８１２の屈曲部８１４の下方に係合する凸部８２３を有する。
【００４７】
嵌合部８は、突起部８１が受け部８２と嵌合することで構成される。具体的には、第１突起８１１の分岐部８１３を第１突起受け部８２１に収容させた状態で、第２突起８１２を第２突起係合部８２２側に近づけると、屈曲部８１４が弾性変形により見込方向に屈曲する。屈曲部８１４が弾性変形することで、第２突起係合部８２２の凸部８２３が、屈曲部８１４の背側を乗り越えて第２突起８１２に係合する。突起部８１と受け部８２とが嵌合すると、長さ調整部５が化粧面部６の第２面と連結される。このように、嵌合部８を介して、長さ調整部５は化粧面部６に着脱可能に構成されている。
【００４８】
以上の建具用額縁１の施工方法について説明する。
図３において、説明の便宜のために長さ調整部５の切断前の長さが破線で示されている。まず、建具用額縁１を、既設の建具用額縁３０及び既設ドア枠３を覆うとともに、ドア枠２から開口縁１０２までの間に形成される隙間Ｓを覆うようにドア枠２及び開口縁１０２に当ててみる。開口縁１０２が形成される外装パネル１１８の位置は、新設の建具用額縁１を配置する個々の建物１００によって様々である。そこで、建具用額縁１の見込み方向に延びる長さ調整部５において、建具用額縁１を設置するのにちょうどよい位置を確認する。
【００４９】
図３の破線で図示するように、長さ調整部５の不要な部分を切断する。具体的には、長さ調整部５と化粧面部６との嵌合を解き、長さ調整部５を化粧面部６から取り外す。そして、不要な部分を溝部５１に沿ってプラスチックカッター等で切り落とす。このとき、建具用額縁１がコの字状であると、長さ調整部５を切断する際に第１面６１が作業者の手を塞ぐこととなり、障害となる。しかしながら、本実施形態では、長さ調整部５は、化粧面部６から取り外すことができ、平板状である。このため、長さ調整部５を平らな面に載置して切断作業を行うことができる。
【００５０】
なお、化粧面本体部６０に形成されている溝６４は、建具用額縁１を取り付ける開口廻りの構造によって、化粧面本体部６０を切断することで寸法を調整することが必要な場合に用いられる。
【００５１】
建具用額縁１は、アルミ材により形成されている。長さ調整部５と化粧面部６と一体に形成する場合、建具用額縁１は、アルミ材を押し出し成型して製造される。押し出し成型の工程で、熱収縮により建具用額縁１が歪むことを防止するため、長さ調整部５の遠位端側に内側に向かって起立するリブを形成する必要があった。リブが形成されていると、溝の切断の際にリブが作業の障害となる場合があった。長さ調整部５を化粧面部６から着脱可能に構成すると、長さ調整部５は単なる平板状の部材となるため、リブを形成する必要がなくなり、切断がさらに容易になる。
【００５２】
長さ調整部５において基端から遠位端までの長さを調整した後、再び長さ調整部５の突起部８１を化粧面部６の受け部８２に嵌合させて、長さ調整部５と化粧面部６とを連結する。
その後、長さ調整部５と化粧面部６とが連結された建具用額縁１を、ドア枠２に取り付ける。具体的には、化粧面部６における第１面６１の突出部６３を、ドア枠２に対してボルトにより固定し、長さ調整部５の遠位端と外装パネル１１８との間をシーリング材９２で封止する。
【００５３】
以上の構成を備える第１実施形態に係る建具用額縁１は、以下のような効果を奏する。
第１実施形態では、建具用額縁１を、建物１００の開口１０１に設けられた建具１０のドア枠２に取り付け、開口１０１の開口縁１０２とドア枠２との隙間を覆うように配置した。また、建具用額縁１を、断面視で略コの字状に形成され、ドア枠２の見付け面の少なくとも一部を覆う化粧面部６と、見込み方向に延びる長さ調整部５と、を含んで構成した。また長さ調整部５を、建具用額縁の長手方向に延びて互いに間隔を空けて形成された複数の溝５１を含んで構成し、且つ、化粧面部６に着脱可能に構成した。
【００５４】
第１本実施形態によれば、長さ調整部５に切断可能な複数の溝５１が形成され、化粧面部６と長さ調整部５とが着脱可能に構成されている。建具用額縁１を建具１０のドア枠２に取り付ける際、建具用額縁１の寸法を現場に合わせて調整する必要がある。建具用額縁１が断面視コの字状であると、寸法を合わせるために長さ調整部５に形成された溝５１を切断するときに、化粧面部６における長さ調整部５と対向する第１面６１が障害となって作業がしにくい。しかしながら、第１実施形態の建具用額縁によれば、長さ調整部５を化粧面部６から取り外して切断することができるため、切断作業が容易になる。このため、建具用額縁１の施工工事も容易になる。
【００５５】
また、第１実施形態では、長さ調整部５を、平板状に構成した。これにより、溝５１の切断作業が、長さ調整部５を平面に載置してできるため、さらに容易になる。
【００５６】
また、第１実施形態では、化粧面部６及び長さ調整部５に、互いを連結可能な嵌合部を形成した。これにより、他の部品を用いることなく化粧面部６と長さ調整部５とを嵌合させるだけで建具用額縁１を形成することができる。
【００５７】
また、第１実施形態では、嵌合部８を、長さ調整部５に形成され、隣接する二つの第１突起８１１、第２突起８１２を有する突起部８１と、化粧面部６における突起部８１に対向する位置に形成され、第１突起８１１、第２突起８１２を受ける受け部８２と、を含んで構成した。また、二つの第１突起８１１、第２突起８１２のうち、少なくとも一方の第２突起８１２を、弾性変形により受け部８２の一部と係合可能に構成した。これにより、一方の第２突起８１２のみを受け部８２に係合させるように動かすだけで、長さ調整部５と化粧面部６とが嵌合するため、着脱がより容易になる。
【００５８】
また、第１実施形態では、改装建具１０を、建物１００の開口１０１に設けられた既設ドア枠３と、既設ドア枠３の内周面を覆うように設けられた新設のドア枠２と、を含んで構成し、ドア枠２に、上記実施形態の建具用額縁１を取り付けた。これにより、建具用額縁１の設置の際に、容易に長さ調整部５を切断することができる。よって、改装工事の現場で、改装建具１０の施工が容易になる。
【００５９】
また、第１実施形態では、上記実施形態における建具用額縁１の施工方法を、長さ調整部５を化粧面部６から取り外した状態で、複数の溝５１のうち一の溝に沿って長さ調整部５を切断することで、長さ調整部５の見込み方向の長さを調整する長さ調整工程と、長さ調整工程で切断された長さ調整部５を、化粧面部６に取り付けて連結させる連結工程と、連結工程で長さ調整部５が化粧面部６に連結された建具用額縁１を、ドア枠２に取り付ける取り付け工程と、を含んで構成した。これにより、長さ調整部５を化粧面部６から取り外して切断することができ、切断作業が容易になる。このため、建具用額縁の施工工事も容易になる。
【００６０】
〔第２実施形態〕
次に、第２実施形態における建具用額縁１Ａについて、図５を参照して説明する。第２実施形態以降の説明において、特に説明しない点は、第１実施形態における構成及び効果と同様である。また、第１実施形態と同様の構成については、同一の符号を用いて説明する。
【００６１】
図５は、第２実施形態における建具用額縁１Ａの断面図である。第２実施形態では、長さ調整部５に形成される溝５１Ａが、建具用額縁１Ａの内側面でなく、外側となる面に形成されている点で第１実施形態と異なる。
第２実施形態によれば、溝５１Ａが長さ調整部５の外側面に形成されていることにより、第１実施形態と同様の効果に加えて、長さ調整部５を切断する位置を容易に確認することができるという効果を奏する。
【００６２】
〔第３実施形態〕
次に、第３実施形態における建具用額縁１Ｂについて、図６を参照して説明する。第３実施形態では、嵌合部８Ｂの構造が第１実施形態における嵌合部８の構造と異なる。
第３実施形態では、突起部８１Ｂにおける第１突起８１１Ｂ及び第２突起８１２Ｂが、同じ形状をしており、両方とも弾性変形する。第３実施形態の第１突起８１１Ｂ及び第２突起８１２Ｂは、互いに近づくように屈曲する屈曲部８１４Ｂを有し、屈曲部８１４Ｂが向かい合うように配置される。
【００６３】
受け部８２Ｂは、突起部８１Ｂを覆うことが可能な大きさの断面視でコの字状に形成される。受け部８２Ｂは、第１突起８１１Ｂ及び第２突起８１２Ｂそれぞれに係合する第１突起係合部８２１Ｂ及び第２突起係合部８２２Ｂを有する。また、第１突起係合部８２１Ｂ及び第２突起係合部８２２Ｂのいずれもが、内側面に、第１突起８１１Ｂ及び第２突起８１２Ｂにおける屈曲部８１４Ｂの背側に係合する凸部８２３Ｂを有する。
【００６４】
第３施形態によれば、第１実施形態と同様の効果に加えて、第１突起８１１Ｂが第１突起係合部８２１Ｂに、第２突起８１２Ｂが第２突起係合部８２２Ｂに、いずれも弾性変形により係合する。第１実施形態の場合のように、外す際に重心をかける軸となる分岐部８１３及び第１突起受け部８２１を有さないので、突起部８１Ｂと受け部８２Ｂとが外れにくいという効果を奏する。
【００６５】
なお、本発明は上記実施形態に限定されるものではなく、本発明の目的を達成できる範囲での変形、改良等は本発明に含まれる。
例えば、上記実施形態では、嵌合部８が化粧面部６の第２面側に配置され、化粧面部６と長さ調整部５とが化粧面部６における第２面側で着脱可能に配置されているが、これに限られない。長さ調整部を化粧面部から取り外して切断することができれば、化粧面部の化粧面本体部に嵌合部を配置し、化粧面本体部で化粧面部と長さ調整部とが着脱可能に配置されていてもよい。
【００６６】
また、上記実施形態では、建具用額縁１はアルミ材で形成されているが、これに限られない。例えば、アルミ材の表面に木目等の模様を印刷した化粧シートを貼付してもよい。
【００６７】
また、上記実施形態では、建具用額縁１は、改装建具１０に配置されているが、これに限られない。ドア枠と開口縁の間の隙間を覆うことができれば、既設ドア枠及び既設の建具用額縁が設けられていない新設の建具に配置されてもよい。
【符号の説明】
【００６８】
１      建具用額縁
２      ドア枠（枠、新設枠）
３      既設ドア枠（既設枠）
５      長さ調整部
６      化粧面部
８      嵌合部
１０    建具、改装建具
５１    溝
８１    突起部
８２    受け部
１００  建物
１０１  開口
１０２  開口縁（縁）
８１１    第１突起（突起）
８１２    第２突起（突起）
Ｓ      隙間
【図１】
0006425447.tif 000002
【図２】
0006425447.tif 000003
【図３】
0006425447.tif 000004
【図４】
0006425447.tif 000005
【図５】
0006425447.tif 000006
【図６】
0006425447.tif 000007